(57)【要約】【課題】ユーザの状況を考慮してユーザのより快適な起床を実現することができる照明装置を提供する。【解決手段】照明装置１００は、発光部１０１と、ユーザの起床希望時刻の設定を受け付ける設定受付部１０２と、起床希望時刻よりも前の時刻である第１の時刻に発光部１０１の発光を開始し、第１の時刻から起床希望時刻にかけて発光部１０１の調光比を増加させる第１の制御パターンと、第１の時刻よりも前の時刻である第２の時刻に発光部１０１の発光を開始し、第２の時刻から起床希望時刻にかけて発光部１０１の調光比を増加させる第２の制御パターンとを選択的に実行する制御部１０３とを備える。【選択図】図２
2015041614.tif 000002
【特許請求の範囲】
【請求項１】
ユーザを起床させるための照明装置であって、
発光部と、
前記ユーザの起床希望時刻の設定を受け付ける設定受付部と、
前記起床希望時刻よりも前の時刻である第１の時刻に前記発光部の発光を開始し、前記第１の時刻から前記起床希望時刻にかけて前記発光部の調光比を増加させる第１の制御パターンと、前記第１の時刻よりも前の時刻である第２の時刻に前記発光部の発光を開始し、前記第２の時刻から前記起床希望時刻にかけて前記発光部の調光比を増加させる第２の制御パターンとを選択的に実行する制御部とを備える
照明装置。
【請求項２】
前記第１の制御パターンにおける、前記第１の時刻よりも後の時刻である第３の時刻から前記起床希望時刻までの期間内の前記発光部の調光比の時間変化は、前記第２の制御パターンにおける、前記第３の時刻から前記起床希望時刻までの期間内の前記発光部の調光比の時間変化と同一である
請求項１に記載の照明装置。
【請求項３】
（１）前記第１の制御パターンにおいて前記発光部が照射する光の前記ユーザの顔面付近における照度の、前記第１の時刻から前記第３の時刻までの期間における最大値、および、（２）前記第２の制御パターンにおいて前記発光部が照射する光の前記ユーザの顔面付近における照度の、前記第２の時刻から前記第３の時刻までの期間における最大値、のそれぞれは、５０ｌｕｘ以下である
請求項２に記載の照明装置。
【請求項４】
（１）前記第１の制御パターンにおける前記発光部の調光比の単位時間あたりの変化量の、前記第１の時刻から前記第３の時刻までの期間における最大値、および、（２）前記第２の制御パターンにおける前記発光部の調光比の単位時間あたりの変化量の、前記第２の時刻から前記第３の時刻までの期間における最大値、のそれぞれは、０．２７以下である
請求項２に記載の照明装置。
【請求項５】
前記第３の時刻から前記起床希望時刻までの期間は、少なくとも５分以上である
請求項２〜４のいずれか１項に記載の照明装置。
【請求項６】
前記第１の時刻から前記起床希望時刻までの期間、および、前記第２の時刻から前記起床希望時刻までの期間のそれぞれは、５分以上１５０分未満である
請求項１〜５のいずれか１項に記載の照明装置。
【請求項７】
さらに、前記制御部に日付を通知する計時部を備え、
前記制御部は、前記計時部によって通知される日付に応じて、前記第１の制御パターンと、前記第２の制御パターンとを選択的に実行する
請求項１〜６のいずれか１項に記載の照明装置。
【請求項８】
前記設定受付部は、さらに、前記ユーザの就寝時刻の設定を受け付け、
前記制御部は、前記設定受付部が受け付けた前記就寝時刻が所定の時刻よりも後の時刻である場合は、前記第１の制御パターンを実行し、前記設定受付部が受け付けた前記就寝時刻が前記所定の時刻以前の時刻である場合は、前記第２の制御パターンを実行する
請求項１〜６のいずれか１項に記載の照明装置。
【請求項９】
さらに、前記ユーザの就寝時刻を検出する就寝時刻検出部を備え、
前記制御部は、前記就寝時刻検出部が検出した前記就寝時刻が所定の時刻よりも後の時刻である場合は、前記第１の制御パターンを実行し、前記設定受付部が受け付けた前記就寝時刻が前記所定の時刻以前の時刻である場合は、前記第２の制御パターンを実行する
請求項１〜６のいずれか１項に記載の照明装置。
【請求項１０】
さらに、前記起床希望時刻および前記就寝時刻の差から前記ユーザの睡眠時間を算出する睡眠時間算出部を備え、
前記制御部は、前記睡眠時間算出部が算出した前記睡眠時間が所定の時間よりも短い場合は、前記第１の制御パターンを実行し、前記睡眠時間算出部が算出した前記睡眠時間が所定の時間以上である場合は、前記第２の制御パターンを実行する
請求項８または９に記載の照明装置。
【請求項１１】
前記設定受付部は、さらに、前記ユーザの性別および前記ユーザの年齢の少なくとも一方を含む情報であるユーザ属性を受け付け、
前記制御部は、前記設定受付部が受け付けた前記ユーザ属性に応じて、前記第１の制御パターンと、前記第２の制御パターンとを選択的に実行する
請求項１〜６のいずれか１項に記載の照明装置。
【請求項１２】
前記第１の制御パターンおよび前記第２の制御パターンのそれぞれにおいて、任意の時刻における前記発光部の調光比は、当該任意の時刻よりも後の時刻における前記発光部の調光比以下である
請求項１〜１１のいずれか１項に記載の照明装置。
【請求項１３】
さらに、前記起床希望時刻にアラーム音を出力するアラーム音出力部を備える
請求項１〜１２のいずれか１項に記載の照明装置。
【請求項１４】
前記照明装置は、前記ユーザの寝室において用いられる
請求項１〜１３のいずれか１項に記載の照明装置。
【請求項１５】
発光部を備える照明装置が行う、ユーザを起床させるための照明方法であって、
前記ユーザの起床希望時刻の設定を受け付ける設定受付ステップと、
前記起床希望時刻よりも前の時刻である第１の時刻に前記発光部の発光を開始し、前記第１の時刻から前記起床希望時刻にかけて前記発光部の調光比を増加させる第１の制御パターンと、前記第１の時刻よりも前の時刻である第２の時刻に前記発光部の発光を開始し、前記第２の時刻から前記起床希望時刻にかけて前記発光部の調光比を増加させる第２の制御パターンとを選択的に実行する制御ステップとを含む
照明方法。
【発明の詳細な説明】
【技術分野】
【０００１】
本発明は、照明装置および照明方法に関し、特に、光刺激によって就寝者を快適に起床させることができる照明装置および照明方法に関するものである。
【背景技術】
【０００２】
従来、住宅空間において、快適な起床を目的とする照明空間を実現するための手法がいくつか提案されている（例えば、特許文献１参照）。
【０００３】
特許文献１に開示された技術は、低照度光、中照度光、および高照度光の少なくとも３種類の照度の光を発生する光発生手段を用い、起床設定時刻の所定時間前から光を照射することによって、就寝者を快適に起床させるものである。
【先行技術文献】
【特許文献】
【０００４】
【特許文献１】特開平７−３１８６７０号公報
【発明の概要】
【発明が解決しようとする課題】
【０００５】
ところで、光刺激に対する感受性には個人差があり、特定のユーザがまぶしいと感じる光刺激であっても、他のユーザはまぶしいと感じない場合がある。また、ユーザの体調や周辺環境等によってもユーザが感じる光刺激は異なる場合がある。
【０００６】
そこで、本発明は、ユーザの状況を考慮し、ユーザのより快適な起床を実現することができる照明装置等を提供する。
【課題を解決するための手段】
【０００７】
本発明の一態様に係る照明装置は、ユーザを起床させるための照明装置であって、発光部と、前記ユーザの起床希望時刻の設定を受け付ける設定受付部と、前記起床希望時刻よりも前の時刻である第１の時刻に前記発光部の発光を開始し、前記第１の時刻から前記起床希望時刻にかけて前記発光部の調光比を増加させる第１の制御パターンと、前記第１の時刻よりも前の時刻である第２の時刻に前記発光部の発光を開始し、前記第２の時刻から前記起床希望時刻にかけて前記発光部の調光比を増加させる第２の制御パターンとを選択的に実行する制御部とを備える。
【０００８】
また、例えば、前記第１の制御パターンにおける、前記第１の時刻よりも後の時刻である第３の時刻から前記起床希望時刻までの期間内の前記発光部の調光比の時間変化は、前記第２の制御パターンにおける、前記第３の時刻から前記起床希望時刻までの期間内の前記発光部の調光比の時間変化と同一であってもよい。
【０００９】
また、例えば、（１）前記第１の制御パターンにおいて前記発光部が照射する光の前記ユーザの顔面付近における照度の、前記第１の時刻から前記第３の時刻までの期間における最大値、および、（２）前記第２の制御パターンにおいて前記発光部が照射する光の前記ユーザの顔面付近における照度の、前記第２の時刻から前記第３の時刻までの期間における最大値、のそれぞれは、５０ｌｕｘ以下であってもよい。
【００１０】
また、例えば、（１）前記第１の制御パターンにおける前記発光部の調光比の単位時間あたりの変化量の、前記第１の時刻から前記第３の時刻までの期間における最大値、および、（２）前記第２の制御パターンにおける前記発光部の調光比の単位時間あたりの変化量の、前記第２の時刻から前記第３の時刻までの期間における最大値、のそれぞれは、０．２７以下であってもよい。
【００１１】
また、例えば、前記第３の時刻から前記起床希望時刻までの期間は、少なくとも５分以上であってもよい。
【００１２】
また、例えば、前記第１の時刻から前記起床希望時刻までの期間、および、前記第２の時刻から前記起床希望時刻までの期間のそれぞれは、５分以上１５０分未満であってもよい。
【００１３】
また、例えば、さらに、前記制御部に日付を通知する計時部を備え、前記制御部は、前記計時部によって通知される日付に応じて、前記第１の制御パターンと、前記第２の制御パターンとを選択的に実行してもよい。
【００１４】
また、例えば、前記設定受付部は、さらに、前記ユーザの就寝時刻の設定を受け付け、前記制御部は、前記設定受付部が受け付けた前記就寝時刻が所定の時刻よりも後の時刻である場合は、前記第１の制御パターンを実行し、前記設定受付部が受け付けた前記就寝時刻が前記所定の時刻以前の時刻である場合は、前記第２の制御パターンを実行してもよい。
【００１５】
また、例えば、さらに、前記ユーザの就寝時刻を検出する就寝時刻検出部を備え、前記制御部は、前記就寝時刻検出部が検出した前記就寝時刻が所定の時刻よりも後の時刻である場合は、前記第１の制御パターンを実行し、前記設定受付部が受け付けた前記就寝時刻が前記所定の時刻以前の時刻である場合は、前記第２の制御パターンを実行してもよい。
【００１６】
また、例えば、さらに、前記起床希望時刻および前記就寝時刻の差から前記ユーザの睡眠時間を算出する睡眠時間算出部を備え、前記制御部は、前記睡眠時間算出部が算出した前記睡眠時間が所定の時間よりも短い場合は、前記第１の制御パターンを実行し、前記睡眠時間算出部が算出した前記睡眠時間が所定の時間以上である場合は、前記第２の制御パターンを実行してもよい。
【００１７】
また、例えば、前記設定受付部は、さらに、前記ユーザの性別および前記ユーザの年齢の少なくとも一方を含む情報であるユーザ属性を受け付け、前記制御部は、前記設定受付部が受け付けた前記ユーザ属性に応じて、前記第１の制御パターンと、前記第２の制御パターンとを選択的に実行してもよい。
【００１８】
また、例えば、前記第１の制御パターンおよび前記第２の制御パターンのそれぞれにおいて、任意の時刻における前記発光部の調光比は、当該任意の時刻よりも後の時刻における前記発光部の調光比以下であってもよい。
【００１９】
また、例えば、さらに、前記起床希望時刻にアラーム音を出力するアラーム音出力部を備えてもよい。
【００２０】
また、例えば、前記照明装置は、前記ユーザの寝室において用いられてもよい。
【００２１】
また、本発明の一態様に係る照明方法は、発光部を備える照明装置が行う、ユーザを起床させるための照明方法であって、前記ユーザの起床希望時刻の設定を受け付ける設定受付ステップと、前記起床希望時刻よりも前の時刻である第１の時刻に前記発光部の発光を開始し、前記第１の時刻から前記起床希望時刻にかけて前記発光部の調光比を増加させる第１の制御パターンと、前記第１の時刻よりも前の時刻である第２の時刻に前記発光部の発光を開始し、前記第２の時刻から前記起床希望時刻にかけて前記発光部の調光比を増加させる第２の制御パターンとを選択的に実行する制御ステップとを含む。
【発明の効果】
【００２２】
本発明によれば、ユーザの状況を考慮し、ユーザのより快適な起床を実現することができる。
【図面の簡単な説明】
【００２３】
【図１】図１は、実施の形態１に係る照明装置の概要を示す図である。
【図２】図２は、実施の形態１に係る照明装置の機能構成を示すブロック図である。
【図３】図３は、第１の制御パターンおよび第２の制御パターンにおける調光比の時間変化を示す図である。
【図４】図４は、実施の形態１に係る起床に関する実験の結果を示すグラフである。
【図５】図５は、実施の形態１に係る起床に関する実験において、被験者が起床希望時刻前に起床した場合の顔面照度をまとめた表である。
【図６】図６は、制御パターンにおける調光比の単位時間あたりの変化量を説明するための図である。
【図７】図７は、実施の形態１に係る照明装置の動作のフローチャートである。
【図８】図８は、照明装置のその他の形態を説明するための図である。
【発明を実施するための形態】
【００２４】
（本発明の基礎となった知見）
背景技術で説明したように、従来、ユーザの快適な起床を実現するための照明装置が提案されている。
【００２５】
特許文献１には、低照度光、中照度光、および高照度光の少なくとも３種類の照度の光を発生する照明装置が開示されている。特許文献１に記載された照明装置は、起床設定時刻にユーザを起床させるために、起床設定時刻の所定時間前から照度を連続的に変化させる制御を行う。具体的には、特許文献１に記載された照明装置は、制御開始直後の時間帯には低照度光を照射し、起床前の時間帯には中照度光を照射し、起床直前の時間帯に高照度光を照射し、起床設定時刻には、さらに音を発生させ、ユーザを快適に起床させる。なお、特許文献１には、低照度光の照度は、２５０ｌｕｘ以下であり、中照度光の照度は、２００−１０００ｌｕｘであり、高照度光の照度は、１０００ｌｕｘ以上であると記載されている。
【００２６】
上記のような照明装置は、ユーザに光刺激を与えることによってユーザを起床させるが、一方で、光刺激に対する感受性には個人差がある。つまり、特定のユーザがまぶしいと感じる光刺激であっても、他のユーザはまぶしいと感じない場合がある。
【００２７】
このため、特定のユーザにとって最適化された照度制御を行った場合、光刺激に対する感受性の高いユーザは、起床設定時刻よりも前の時刻に起床してしまう。このことから、ユーザ一人一人が光を照射するタイミングおよび光の照射時間を設定することができる構成の照明装置が考えられる。
【００２８】
しかしながら、ユーザの快適な起床を実現するためには、室内に窓から差し込む外光や、隣室からの漏れ光など、照明装置以外の光の要因を考慮した照度制御を行う必要がある。ユーザが自由に光を照射するタイミングおよび光の照射時間を設定した場合、急激な照度変化などによって、不快な起床を引き起こす可能性が考えられる。
【００２９】
本発明は、このような発明者らの知見に基づきなされたものであって、光感受性の個人差や、照明装置以外の光の要因を考慮し、ユーザのより快適な起床を実現することができる照明装置を提供するものである。
【００３０】
以下、本発明の実施の形態について、図面を参照しながら具体的に説明する。なお、各図は、模式図であり、必ずしも厳密に図示したものではない。
【００３１】
なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００３２】
（実施の形態１）
まず、実施の形態１に係る照明装置の概要について説明する。
【００３３】
図１は、実施の形態１に係る照明装置の概要を示す図である。
【００３４】
図１に示される照明装置１００は、電気スタンド型の照明装置であって、ユーザ２００の枕元に設けられている。照明装置１００は、ユーザ２００を起床させるための発光部１０１の調光比の制御である起床制御を行う。照明装置１００は、例えば、ユーザ２００の寝室に設置される。
【００３５】
ユーザ２００は、例えば、照明装置１００の入力部１０６（入力ボタン）を通じて起床希望時刻（起床設定時刻）を入力する。これにより、照明装置１００は、起床希望時刻よりも所定時間前の時刻から起床制御を行う。具体的には、照明装置１００の制御部は、上記所定時間前の時刻から起床希望時刻までの期間において、発光部１０１の調光比を漸増させる制御を行う。
【００３６】
ここで、照明装置１００は、上記起床制御として、第１の制御パターンと、第１の制御パターンとは制御が開始される時刻が異なる第２の制御パターンとを選択的に実行する点が特徴である。このように、照明装置１００は、少なくとも２つの制御パターンを備えるため、ユーザの状況を考慮し、ユーザのより快適な起床を実現することができる。
【００３７】
以下、照明装置１００の詳細について説明する。まず、照明装置１００の機能構成について説明する。
【００３８】
図２は、照明装置１００の機能構成を示すブロック図である。
【００３９】
図２に示されるように、照明装置１００は、発光部１０１と、設定受付部１０２と、制御部１０３と、計時部１０４と、アラーム音出力部１０５とを備える。また、照明装置１００は、入力部１０６（ユーザ属性入力部１０６ａ、就寝時刻入力部１０６ｂ、および起床時刻入力部１０６ｃ）と、記憶部１０８と、就寝時刻検出部１０９と、睡眠時間算出部１１０と、表示部１１１とを備える。
【００４０】
発光部１０１は、可視光を照射する光源であり、制御部１０３の制御により発光する。発光部１０１は、具体的には、ＬＥＤ（Ｌｉｇｈｔ  Ｅｍｉｔｔｉｎｇ  Ｄｉｏｄｅ）等の半導体発光素子からなる光源や、有機ＥＬ（Ｅｌｅｃｔｒｏ  Ｌｕｍｉｎｅｓｃｅｎｃｅ）等の固体発光素子からなる光源であるが、その他の光源であってもよい。
【００４１】
設定受付部１０２は、ユーザ２００の起床希望時刻の設定を受け付ける。具体的には、設定受付部１０２は、ユーザ２００が起床時刻入力部１０６ｃを通じて入力する起床希望時刻の設定を受け付ける。
【００４２】
なお、実施の形態１では、設定受付部１０２は、さらに、ユーザ２００の就寝時刻の設定およびユーザ２００のユーザ属性（ユーザ２００の性別およびユーザ２００の年齢の少なくとも一方を含む情報）を受け付ける。ユーザ２００の就寝時刻は、就寝時刻入力部１０６ｂを通じて入力され、ユーザ属性は、ユーザ属性入力部１０６ａを通じて入力される。就寝時刻およびユーザ属性は、制御部１０３の制御パターンの切り替えの判断に用いられる。また、設定受付部１０２は、照明装置１００の初期設定時に、照明装置１００が設置される場所のタイムゾーン（国および地域）の設定を受け付けてもよい。
【００４３】
制御部１０３は、第１の制御パターンと、第２の制御パターンとを選択的に実行する。
【００４４】
第１の制御パターンは、起床希望時刻よりも所定時間前の時刻である第１の時刻に発光部１０１の発光を開始し、第１の時刻から起床希望時刻にかけて発光部１０１の調光比を増加させる制御パターンである。第１の時刻から起床希望時刻にかけて発光部１０１の調光比を増加させる。
【００４５】
第２の制御パターンは、第１の時刻よりもさらに所定時間前の時刻である第２の時刻に発光部１０１の発光を開始し、第２の時刻から起床希望時刻にかけて発光部１０１の調光比を増加させる制御パターンである。第１の制御パターンは、第２の制御パターンよりも光の照射時間が短いため、第１の制御パターンは、第２の制御パターンよりもユーザ２００を起こしにくい制御であるといえる。
【００４６】
制御部１０３は、例えば、ＰＷＭ（Ｐｕｌｓｅ  Ｗｉｄｔｈ  Ｍｏｄｕｌａｔｉｏｎ）制御により発光部１０１の調光を行うが、いわゆるアナログ調光制御により発光部１０１の調光を行ってもよい。制御部１０３は、具体的には、マイクロコンピュータなどによって実現される。なお、調光比とは、発光部１０１の最大輝度に対する輝度の割合を意味し、制御部１０３がＰＷＭ制御を行う場合には、ＰＷＭ信号のデューティ比により定められる。
【００４７】
計時部１０４は、制御部１０３に時刻および日付を通知する。計時部１０４は、具体的には、いわゆるリアルタイムクロックなどのクロック回路である。なお、計時部１０４は、タイムゾーンごとに時刻および日付を認識できる構成であってもよい。また、ここでの日付には、少なくとも月（ｍｏｎｔｈ）と日（ｄａｙ）とが含まれる。
【００４８】
アラーム音出力部１０５は、制御部１０３の制御に基づいて、起床希望時刻にアラーム音を出力する。アラーム音出力部１０５は、例えば、ブザーやスピーカ等である。アラーム音出力部１０５がアラーム音を出力することにより、ユーザ２００は、起床希望時刻に確実に起床することができる。
【００４９】
入力部１０６（ユーザ属性入力部１０６ａ、就寝時刻入力部１０６ｂ、および起床時刻入力部１０６ｃ）は、ユーザ２００が起床希望時刻、就寝時刻、およびユーザ属性を入力する入力インターフェースである。実施の形態１では、入力部１０６は、図１に示されるようなボタン式のスイッチであるが、スライド式のスイッチや、タッチパネル等、どのような態様であってもよい。
【００５０】
記憶部１０８には、制御部１０３が実行する制御パターン（第１の制御パターンおよび第２の制御パターンを実行するための情報）や、制御パターンの選択基準が記憶される。記憶部１０８は、具体的には、例えば、ＦＬＡＳＨメモリなどの半導体メモリ、または強誘電体メモリなどである。
【００５１】
就寝時刻検出部１０９は、ユーザ２００の就寝時刻を検出する。就寝時刻検出部１０９は、具体的には、寝具上や寝具下に設置された圧電センサであり、例えば、ユーザ２００の体動の量が所定の閾値未満となった時刻をユーザ２００の就寝時刻として検出する。なお、就寝時刻検出部１０９は、ユーザ２００の腕等に装着された加速度センサからユーザの体動の量を取得するような構成により、ユーザ２００の就寝時刻を検出してもよい。また、就寝時刻検出部１０９は、ユーザ２００が就寝時に消灯した時刻を就寝時刻として検出してもよい。なお、就寝時刻は、上述のように制御部１０３の制御パターンの切り替えの判断に用いられる。
【００５２】
睡眠時間算出部１１０は、設定受付部１０２が受け付けた、起床希望時刻および就寝時刻の差からユーザの睡眠時間を算出する。なお、睡眠時間の算出に用いられる就寝時刻は、就寝時刻検出部１０９が検出したものであってもよい。睡眠時間は、上述のように制御部１０３の制御パターンの切り替えの判断に用いられる。
【００５３】
表示部１１１は、現在時刻や、ユーザ２００が設定した起床希望時刻などを表示する表示パネルである。表示部１１１は、例えば、液晶パネルや、有機ＥＬ（Ｅｌｅｃｔｒｏ  Ｌｕｍｉｎｅｓｃｅｎｃｅ）パネルである。
【００５４】
次に、第１の制御パターンおよび第２の制御パターンの詳細について説明する。
【００５５】
図３は、第１の制御パターンおよび第２の制御パターンにおける調光比の時間変化を示す図である。図３の（ａ）は、第１の制御パターンにおける調光比の時間変化を示す図であり、図３の（ｂ）は、第２の制御パターンにおける調光比の時間変化を示す図である。なお、以下の説明では、調光比の時間変化を制御パターンとも記載する。
【００５６】
図３の（ａ）に示されるように、第１の制御パターンは、第１の時刻Ｔ１に開始され、起床希望時刻Ｔ０に終了する。なお、図３の（ａ）では、第１の時刻Ｔ１よりも前の時間帯には、発光部１０１は、消灯しているものする。また、図３の（ａ）では、図示されないが、発光部１０１は、基本的には起床希望時刻Ｔ０以降も発光を継続する。
【００５７】
また、図３の（ｂ）に示されるように、第２の制御パターンは、第１の時刻Ｔ１よりも後の時刻である第２の時刻Ｔ２に開始され、起床希望時刻Ｔ０に終了する。なお、図３の（ｂ）では、図示されないが、発光部１０１は、基本的には起床希望時刻Ｔ０以降も発光を継続する。
【００５８】
第１の制御パターンおよび第２の制御パターンのいずれの制御においても、調光比は、時間の経過と共に漸増する。より詳細には、第１の制御パターンおよび第２の制御パターンのいずれの制御においても、制御中の任意の時刻における発光部１０１の調光比は、当該任意の時刻よりも後の時刻における発光部１０１の調光比以下である（後述する制御パターンの前半部においては、制御中の任意の時刻における発光部１０１の調光比は、当該任意の時刻よりも後の時刻における発光部１０１の調光比と等しくなる場合がある。）。
【００５９】
実施の形態１において、第１の制御パターンが行われる期間（第１の時刻Ｔ１から起床希望時刻Ｔ０までの期間）、および、第２の制御パターンが行われる期間（第２の時刻Ｔ２から起床希望時刻Ｔ０までの期間）のそれぞれは、５分以上１５０分未満に設定されている。これは、起床制御（漸増光照射）を行う照明装置において一般的な値である。このような設定により、起床制御が適切な長さの期間に行われるため、ユーザ２００の不快な目覚めを防ぐことができる。
【００６０】
また、第１の制御パターンおよび第２の制御パターンは、それぞれ第３の時刻Ｔ３を境に前半部と後半部とに分かれている。
【００６１】
ここで、第１の制御パターンの後半部と、第２の制御パターンの後半部とは、ユーザ２００を快適に起床させるために様々な要因を考慮した上で予め設定された制御パターンである。したがって、照明装置１００のように制御部１０３が制御パターンを切り替え可能な場合、各制御パターンの後半部は、制御パターンの開始時刻（以下、制御開始時刻または照射開始時刻とも記載する）に関係なく固定される。つまり、第１の制御パターンの後半部と、第２の制御パターンの後半部とは、実質的に同一の制御パターンである。
【００６２】
言い換えれば、第１の制御パターンにおける、第３の時刻Ｔ３から起床希望時刻Ｔ０までの期間内の発光部１０１の調光比の時間変化は、第２の制御パターンにおける、第３の時刻Ｔ３から起床希望時刻Ｔ０までの期間内の発光部１０１の調光比の時間変化と同一である。
【００６３】
このように、複数の制御パターンにおいて、制御パターンの後半部を共通化することで、制御パターンの前半部の長さを変更した場合であってもユーザ２００に安定して快適な起床を提供できることが実験的に確かめられている。
【００６４】
なお、実施の形態１では、第１の制御パターンおよび第２の制御パターンのそれぞれの制御パターンにおいて、後半部の長さ（第３の時刻Ｔ３から起床希望時刻Ｔ０までの期間）は、少なくとも５分以上に設定されている。このように、後半部の長さを一定以上の期間とすることで、時間をかけて制御パターンが実行され、ユーザ２００のより良い起床が促される。
【００６５】
一方、第１の制御パターンの前半部と、第２の制御パターンの前半部とは、ユーザ２００の最終的な起床の予備段階にあたるため、調光比がユーザ２００を起床させない程度に設定された制御パターンである。したがって、照明装置１００のように制御部１０３が制御パターンを切り替え可能な場合、各制御パターンの前半部は、ユーザ２００の光刺激に対する感度に応じて変更されてもよいものと考えられる。
【００６６】
実施の形態１では、第２の制御パターンの前半部は、第１の制御パターンの前半部をそれぞれの制御開始時刻に応じて引き伸ばした制御パターンとなっている。具体的には、第１の時刻Ｔ１から第３の時刻Ｔ３までの時間をＴａ、第２の時刻Ｔ２から第３の時刻Ｔ３までの時間をＴｂとすると、第２の制御パターンの前半部は、第１の制御パターンの前半部の時間をＴｂ／Ｔａに引き伸ばしたものとなる。
【００６７】
なお、図３に示される第１の制御パターンおよび第２の制御パターンは、前半部と後半部との境界において調光比が連続しているが、前半部と後半部との境界において調光比が連続しなくてもよい。
【００６８】
ところで、上述のように、第１の制御パターンの前半部および第２の制御パターンの前半部においては、ユーザ２００を起床させない程度に光刺激を与える必要がある。以下、この点についての実験結果について説明する。
【００６９】
実験では、起床希望時刻の３０分前から一定の照度で光を被験者の顔面に照射し続けた場合に、当該被験者が起床した時間を測定した。被験者は、男性３名、女性２名の計５名であり、各被験者について、異なる複数の照度にて複数回の実験を行った。なお、この実験における照度は、被験者の顔面付近の照度（以下、顔面照度とも記載する。）で表されるものとする。
【００７０】
図４は、上記実験結果を示すグラフである。図４において縦軸は顔面照度（ｌｕｘ：ルクス）であり、横軸は照射開始時刻を０として被験者が目覚めた時間（ｍｉｎ：分）である。なお、図４において起床希望時刻（横軸の３０ｍｉｎ）上にプロットされた点は、被験者が起床希望時刻前に起床しなかったことを示す。
【００７１】
図５は、上記実験結果において、被験者が起床希望時刻前に起床した場合の顔面照度をまとめた表である。
【００７２】
図５に示されるように、被験者が起床希望時刻前に起床した場合の顔面照度の平均値（ＡＶＥ）は、２４．５ｌｕｘであり、顔面照度の標準偏差（σ）は、１１．９である。ＡＶＥ＋２σを想定した場合、第１の制御パターンの前半部および第２の制御パターンの前半部においては、顔面照度を５０ｌｕｘ以下とすることが望ましい。
【００７３】
つまり、第１の制御パターンにおいて発光部１０１が照射する光のユーザ２００の顔面付近における照度の、第１の時刻Ｔ１から第３の時刻Ｔ３までの期間における最大値は、５０ｌｕｘ以下であることが望ましい。同様に、第２の制御パターンにおいて発光部１０１が照射する光のユーザ２００の顔面付近における照度の、第２の時刻Ｔ２から第３の時刻Ｔ３までの期間における最大値は、５０ｌｕｘ以下であることが望ましい。
【００７４】
これにより、ユーザ２００が必要以上の光刺激を受けることがなくなり、ユーザ２００が起床希望時刻前に起床する可能性を低減することができ、ユーザ２００のより良い起床が促される。
【００７５】
また、第１の制御パターンの前半部および第２の制御パターンの前半部における照度（調光比）は、調光比の単位時間あたりの変化量（時間微分値）によって定められてもよい。
【００７６】
図６は、制御パターンにおける調光比の単位時間あたりの変化量を説明するための図である。なお、図６に示される制御パターンは、第１の制御パターンおよび第２の制御パターンとは、前半部が異なる別の制御パターンである。しかしながら、図６に示される制御パターンの後半部は、図３を用いて説明した第１の制御パターンおよび第２の制御パターンと実質的に同一である。
【００７７】
上述のように、第１の制御パターンの前半部および第２の制御パターンの前半部においては、顔面照度を５０ｌｕｘ以下とすることが望ましい。一方で、一般的な照明装置により照射される光の顔面照度は、調光比１００％の場合に、１００ｌｕｘ程度である。
【００７８】
したがって、一般的な照明装置において顔面照度５０ｌｕｘは、調光比５０％に相当すると考えられる。ここで、図６に示されるように、調光比５０％のときの、調光比の単位時間あたりの変化量は、０．２７である。このため、第１の制御パターンの前半部および第２の制御パターンの前半部においては、調光比の単位時間あたりの変化量の最大値が０．２７以下となることが望ましい。
【００７９】
つまり、第１の制御パターンにおける発光部１０１の調光比の単位時間あたりの変化量の、第１の時刻Ｔ１から第３の時刻Ｔ３までの期間における最大値は、０．２７以下であることが望ましい。同様に、第２の制御パターンにおける発光部１０１の調光比の単位時間あたりの変化量の、第２の時刻Ｔ２から第３の時刻Ｔ３までの期間における最大値は、０．２７以下であることが望ましい。
【００８０】
これにより、ユーザ２００が急激な照度の変化に基づく光刺激を受けることがなくなり、ユーザ２００が起床希望時刻前に起床する可能性を低減することができ、ユーザ２００のより良い起床が促される。
【００８１】
以上、第１の制御パターンおよび第２の制御パターンの詳細について説明した。続いて、照明装置１００の動作について説明する。
【００８２】
図７は、照明装置１００の動作のフローチャートである。
【００８３】
まず、照明装置１００の設定受付部１０２は、ユーザ２００の起床希望時刻の設定を受け付ける（Ｓ１０１）。
【００８４】
次に、制御部１０３は、パラメータが第１の制御パターンの選択基準を満たすかどうかを判断する（Ｓ１０２）。ここで、パラメータは、計時部１０４によって通知される日付や、設定受付部１０２が受け付ける就寝時刻、起床希望時刻、およびユーザ属性、睡眠時間算出部１１０が算出する睡眠時間などである。また、選択基準は、パラメータごとに設定される。
【００８５】
パラメータが第１の制御パターンの選択基準を満たす場合（Ｓ１０２でＹｅｓ）、制御部１０３は、第１の制御パターンを実行する（Ｓ１０３）。すなわち、第１の時刻Ｔ１に制御パターンを開始する。
【００８６】
パラメータが第１の制御パターンの選択基準を満たさない場合（Ｓ１０２でＮｏ）、制御部１０３は、第２の制御パターンを実行する（Ｓ１０４）。すなわち、第２の時刻Ｔ２に制御パターンを開始する。
【００８７】
そして、起床希望時刻には、制御部１０３は、アラーム音出力部１０５にアラーム音を出力させる（Ｓ１０５）。
【００８８】
ここで、パラメータおよび選択基準について説明する。
【００８９】
パラメータが、計時部１０４によって通知される日付である場合、計時部１０４によって通知される日付が所定の日付であるか否かが選択基準となる。このとき、制御部１０３は、計時部１０４によって通知される日付に応じて、第１の制御パターンと、第２の制御パターンとを選択的に実行する。
【００９０】
これにより、制御部１０３は、季節に応じて、第１の制御パターンと、第２の制御パターンとを選択的に実行することができる。例えば、日本では、夏場は日の出の時刻が早く、冬場は日の出の時刻が遅い。よって、日の出の時刻に制御パターンの照射開始時刻を近づけることで、ユーザ２００のより快適な起床を促すことができる。
【００９１】
すなわち、上記所定の日付は、日本では、冬季（例えば、１０月〜３月）に設定される。制御部１０３は、計時部１０４によって通知される日付が冬季（１０月〜３月）に含まれる場合、照射開始時刻が遅い第１の制御パターンを実行し、計時部１０４によって通知される日付が夏季（４月〜９月）に含まれる場合、照射開始時刻が早い第２の制御パターンを実行する。なお、上記所定の日付は、タイムゾーンに応じて個別に設定される。
【００９２】
パラメータが、設定受付部１０２が受け付けた就寝時刻である場合、設定受付部１０２が受け付けた就寝時刻が所定の時刻よりも後の時刻であるか否かが判断基準となる。
【００９３】
制御部１０３は、設定受付部１０２が受け付けた就寝時刻が所定の時刻よりも後の時刻である場合は、第１の制御パターンを実行し、設定受付部１０２が受け付けた就寝時刻が所定の時刻以前の時刻である場合は、第２の制御パターンを実行する。
【００９４】
これにより、就寝時刻が遅く、睡眠時間が短いと考えられる場合には、照射開始時刻が遅くユーザ２００を起こしにくい第１の制御が実行されるため、ユーザ２００のより快適な起床を促すことができる。なお、就寝時刻は、就寝時刻検出部１０９が検出したものであってもよい。
【００９５】
パラメータが、睡眠時間算出部１１０が算出した睡眠時間である場合、睡眠時間算出部１１０が算出した睡眠時間が所定の時間よりも短いか否かが判断基準となる。
【００９６】
制御部１０３は、睡眠時間算出部１１０が算出した睡眠時間が所定の時間よりも短い場合は、第１の制御パターンを実行し、睡眠時間算出部１１０が算出した睡眠時間が所定の時間以上である場合は、第２の制御パターンを実行する。
【００９７】
これにより、睡眠時間が短いときには、照射開始時刻が遅くユーザ２００を起こしにくい第１の制御が実行されるため、ユーザ２００のより快適な起床を促すことができる。
【００９８】
パラメータが、設定受付部１０２が受け付けたユーザ属性である場合、ユーザ属性が所定の条件を満たすか否かが判断基準となる。このとき、制御部１０３は、設定受付部１０２が受け付けたユーザ属性に応じて、第１の制御パターンと、第２の制御パターンとを選択的に実行する。
【００９９】
例えば、ユーザ属性がユーザ２００の年齢を示す情報である場合、ユーザ属性が示す年齢が所定の範囲に含まれているか否かが判断基準となる。また、例えば、ユーザ属性がユーザ２００の性別を示す情報である場合、ユーザ属性が示す性別が判断基準となる。
【０１００】
一般に、ユーザ２００の年齢が高いほど、睡眠は浅くなり睡眠時間を確保することが重要となる。したがって、ユーザ属性がユーザ２００の年齢を示す情報である場合は、例えば、ユーザ属性が示す年齢が所定の年齢以上であるか否かが判断基準として用いられる。
【０１０１】
すなわち、この場合、制御部１０３は、設定受付部１０２が受け付けたユーザ属性が示す年齢が所定の年齢以上である場合は、第１の制御パターンを実行する。また、制御部１０３は、設定受付部１０２が受け付けたユーザ属性が示す年齢が所定の年齢未満である場合は、第２の制御パターンを実行する。
【０１０２】
パラメータが、設定受付部１０２が受け付けた就寝希望時刻である場合、設定受付部１０２が受け付けた起床希望時刻が所定の時刻よりも前の時刻であるか否かが判断基準となる。
【０１０３】
制御部１０３は、設定受付部１０２が受け付けた起床希望時刻が所定の時刻よりも前の時刻である場合は、第１の制御パターンを実行し、設定受付部１０２が受け付けた就寝時刻が所定の時刻以降の時刻である場合は、第２の制御パターンを実行する。
【０１０４】
これにより、起床希望時刻が早く、睡眠時間が短いと考えられる場合には、照射開始時刻が遅くユーザ２００を起こしにくい第１の制御が実行されるため、ユーザ２００のより快適な起床を促すことができる。
【０１０５】
以上、制御部１０３の制御パターンの切り替えのためのパラメータおよび選択基準について説明したが、上記パラメータおよび選択基準は、一例であり、説明したパラメータおよび選択基準に限定されるものではない。例えば、上記パラメータを複数組み合わせて制御部１０３の制御パターンの切り替えの判断が行われてもよい。
【０１０６】
また、上記のようなパラメータおよび選択基準を用いず、ユーザ２００が入力部１０６を通じて第１の制御パターンおよび第２の制御パターンのいずれかを直接指定する構成であってもよい。
【０１０７】
以上、実施の形態１に係る照明装置１００について説明した。照明装置１００は、少なくとも２以上の制御パターンを備えるため、ユーザ２００の状況を考慮し、ユーザ２００のより快適な起床を実現することができる。
【０１０８】
なお、実施の形態１では、制御部１０３は、２種類の制御パターンを選択的に実行したが、３種類以上の制御パターンを選択的に実行してもよい。
【０１０９】
（その他の実施の形態）
本発明は、実施の形態１で説明した形態に限定されるものではない。実施の形態１では、照明装置１００は、電気スタンド型の照明装置として説明したが、その他の形態の照明装置として実現されてもよい。その他の形態の照明装置とは、例えば、シーリングライト、ベースライト、ダウンライト、スポットライトなどである。
【０１１０】
図８は、照明装置のその他の形態を説明するための図である。
【０１１１】
図８に示されるように、照明装置１００ａは、シーリングライトであり、ユーザ２００は、リモートコントローラ１００ｂによって照明装置１００ａを点灯または消灯させる。
【０１１２】
照明装置１００ａ（およびリモートコントローラ１００ｂ）の機能ブロック図については、図２で説明したものと同様である。なお、図２に示される構成要素のうち、照明装置１００ａは、少なくとも発光部１０１、設定受付部１０２、および、制御部１０３を備え、リモートコントローラ１００ｂは、少なくとも入力部１０６および表示部１１１を備える。その他の各構成要素については、照明装置１００ａにおいて実現されてもよいし、リモートコントローラ１００ｂにおいて実現されてもよい。
【０１１３】
ユーザ２００は、就寝前にリモートコントローラ１００ｂの入力部１０６（入力ボタン）を通じて起床希望時刻を入力する。そして、照明装置１００ａは、照明装置１００と同様に、第１の制御パターンと、第２の制御パターンとを選択的に実行する。よって、照明装置１００ａは、照明装置１００と同様に、光感受性の個人差を考慮し、ユーザのより快適な起床を実現することができる。
【０１１４】
なお、図８に示されるような構成において、リモートコントローラ１００ｂに代えて、スマートフォンやタブレット端末などの情報通信端末が用いられてもよい。この場合、本発明は、照明装置１００ａと、情報通信端末とを備える照明システムとして実現されてもよい。
【０１１５】
また、本発明は、照明装置が行う、ユーザを起床させるための照明方法として実現されてもよい。
【０１１６】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１７】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムおよび記録媒体の任意な組み合わせで実現されてもよい。
【０１１８】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１１９】
１００、１００ａ  照明装置
１００ｂ  リモートコントローラ
１０１  発光部
１０２  設定受付部
１０３  制御部
１０４  計時部
１０５  アラーム音出力部
１０６  入力部
１０６ａ  ユーザ属性入力部
１０６ｂ  就寝時刻入力部
１０６ｃ  起床時刻入力部
１０８  記憶部
１０９  就寝時刻検出部
１１０  睡眠時間算出部
１１１  表示部
Ｔ０  起床希望時刻
Ｔ１  第１の時刻
Ｔ２  第２の時刻
Ｔ３  第３の時刻
【図１】
2015041614.tif 000003
【図２】
2015041614.tif 000004
【図３】
2015041614.tif 000005
【図４】
2015041614.tif 000006
【図５】
2015041614.tif 000007
【図６】
2015041614.tif 000008
【図７】
2015041614.tif 000009
【図８】
2015041614.tif 000010